(57)【要約】【課題】廃タイヤを切片状に切断破砕した破砕ゴム片を建築・土木用骨材として使用するに際し、運搬性、作業性および補強性に優れた地盤補強部材および地盤補強方法を提供する。【解決手段】水、土および砂などに対し透過性を有するゲージ２に破砕ゴム片１０が充填されてなる地盤補強部材１である。ゲージ２が円柱状または方形をなし、上部ゲージ５と下部ゲージ４とに分割可能である。ゲージ２が積み重ね可能なように、上面と底面が平坦である。【選択図】図１
2007169925.tif 000002
【特許請求の範囲】
【請求項１】
水、土および砂などに対し透過性を有するゲージに破砕ゴム片が充填されてなることを特徴とする地盤補強部材。
【請求項２】
前記ゲージが円柱状をなし、上部と下部に分割可能である請求項１記載の地盤補強部材。
【請求項３】
前記ゲージが方形をなし、上部と下部に分割可能である請求項１記載の地盤補強部材。
【請求項４】
前記ゲージが積み重ね可能なように、上面と底面が平坦である請求項１〜３のうちいずれか一項記載の地盤補強部材。
【請求項５】
２分割された下部ゲージの開口部上縁部に複数本の係止部が立設され、該係止部の上端には、上部ゲージ側面の網目に弾性係止される三角形状の係止凸部が形成されている請求項１〜４のうちいずれか一項記載の地盤補強部材。
【請求項６】
請求項１〜５のうちいずれか一項記載の地盤補強部材を地中に埋設して地盤を補強するにあたり、補強すべき地盤に応じ、ゲージ内への破砕ゴム片の充填量を適宜変更することを特徴する地盤補強方法。
【発明の詳細な説明】
【技術分野】
【０００１】
本発明は、地盤補強部材および地盤補強方法に関し、詳しくは、廃タイヤを切片状に切断破砕した破砕ゴム片を建築・土木用骨材として使用するに際し、運搬性、作業性および補強性に優れた地盤補強部材および地盤補強方法に関する。
【背景技術】
【０００２】
従来、廃タイヤを切片状に切断破砕した破砕ゴム片を建築用骨材として使用することが行われていた。また、破砕ゴム片を盛土材料として使用することも行われており、この場合、破砕ゴム片を袋詰めにして施工現場に運び、現場で袋から出して使用していた。
【０００３】
例えば、特許文献１では、地盤に鋤取りを行い透水性シートを設置してその中に破砕ゴム片を充填し、砂利等の盛土した路盤が報告されている。
【特許文献１】特開平６―１２３１０１号公報（第１頁、図１）
【発明の開示】
【発明が解決しようとする課題】
【０００４】
しかしながら、廃タイヤを切片状に切断破砕した破砕ゴム片を盛土材料などとして使用する場合、その破砕ゴム片を袋詰めして施工現場まで運搬するのは容易ではなく、また、現場においては破砕ゴム片を袋から出して敷き詰めなければならないなど、作業性の効率化という点においても問題があった。さらに、その場で破砕ゴム片の締め固めを行うため、破砕ゴム片の密度を均一にすることが容易ではないという問題もあった。
【０００５】
また、上記特許文献１記載の路盤及び基礎地盤の造成方法においては、透水シートを設置し、その中に破砕ゴム片を充填するといった大掛かりな作業が必要であり、充填する破砕ゴム片の密度調節は困難であった。
【０００６】
そこで本発明の目的は、上記問題点を解消し、廃タイヤを切片状に切断破砕した破砕ゴム片を建築・土木用骨材として使用するに際し、運搬性、作業性および補強性に優れた地盤補強部材および地盤補強方法を提供することにある。
【課題を解決するための手段】
【０００７】
本発明者らは上記課題を解決するために鋭意検討した結果、予め所定のゲージに破砕ゴム片を充填することにより上記目的を達成し得ることを見出し、本発明を完成するに至った。
【０００８】
即ち、本発明の地盤補強部材は、水、土および砂などに対し透過性を有するゲージに破砕ゴム片が充填されてなることを特徴とするものである。
【０００９】
本発明の地盤補強部材においては、前記ゲージが円柱状をなし、上部と下部に分割可能であるか、あるいは前記ゲージが方形をなし、上部と下部に分割可能であるゲージとすることができる。また、前記ゲージは、積み重ね可能なように、上面と底面が平坦であることが好ましい。さらに、２分割された下部ゲージの開口部上縁部に複数本の係止部が立設され、該係止部の上端には、上部ゲージ側面の網目に弾性係止される三角形状の係止凸部が形成されていることが好ましい。
【００１０】
また、本発明は、上記地盤補強部材を地中に埋設して地盤を補強するにあたり、補強すべき地盤に応じ、ゲージ内への破砕ゴム片の充填量を適宜変更することを特徴する地盤補強方法である。
【発明の効果】
【００１１】
本発明の地盤補強部材によれば、廃タイヤを切片状に切断破砕した破砕ゴム片を水、土および砂などに対し透過性を有するゲージに充填してから重機により運搬することができるため、運搬性および作業性に優れている。また、本発明の地盤補強方法によれば、充填する破砕ゴム片の量を変えることで、密詰めや緩詰めなど補強部材の密度を容易に調節することができ、これにより如何なる地盤にも対応させることができる。よって、補強性にも優れた効果を奏する。
【発明を実施するための最良の形態】
【００１２】
以下に、図面を参照して本発明の一好適実施の形態について説明する。
図１に示す本発明の好適例の地盤補強部材１は、円柱状をなし、上部ゲージ５と下部ゲージ４に分割可能なゲージ２と、その中に充填される破砕ゴム片１０とからなる。かかるゲージ２は、積み重ね可能なように、上部ゲージ５の上面と下部ゲージ４の底面が共に平坦面を形成している。また、ゲージ２は、水、土および砂などに対しては上下左右から良好な透過性を有する網目開口を有するが、破砕ゴム片１０に対しては十分な保持性を有するようにする。ゲージ２の材質としては、特に制限されるべきものではなく、破砕ゴム片１０を保持するに十分な強度を有する、例えば、既知のエンジニアリングプラスチックなどのプラスチック材とすることができる。
【００１３】
図１に示すように、分割された上部ゲージ５と下部ゲージ４の双方を廃タイヤの破砕ゴム片１０で満杯にして両者を一体化する場合には、上部ゲージ２の上面を、例えば、ネット３で被覆して、上部ゲージ５を逆さにしても破砕ゴム片１０がこぼれ落ちないようにしておくことが好ましい。かかるネット３は、例えば、伸縮性を有する素材のものを好適に用いることができるが、特に限定されるものではない。なお、ゲージ２に充填する破砕ゴム片１０をゲージに満杯に充填せず、例えば、７〜８分以内で充填する場合には、下部ゲージ４に山盛りに破砕ゴム片１０を充填しておき、その上に空の上部ゲージ５を被せればよいのは勿論である。
【００１４】
図示例のゲージ２の下部ゲージ４には、その開口上縁部に複数の係止部６が立設され、この係止部６の上端には、上部ゲージ５の側面の網目開口に弾性係止される三角形状の係止凸部７が形成されている。
【００１５】
下部ゲージ４と上部ゲージ５とを破砕ゴム片１０が充填された状態で一体化するには、図２に示すように、下部ゲージ４の係止部６内へ、上部ゲージ５を逆さにして押し込むことで（ネット３を設けることにより上部ゲージ５内の破砕ゴム片１０はこぼれ落ちることがない）、係止部６が外側に湾曲されながら、係止凸部７で上部５側面の網目開口内に弾性係止される。
【００１６】
ゲージ２の形状は、運搬や積み重ね易さなどから、図１および２に示すように円柱状の他、図３および４に示すように方形であることが好ましいが、これらの形状に限定されるものではない。なお、図３および図４に示す地盤補強部材１は、ゲージ２を方形とした以外は図１および２に示す円柱状ゲージと同様であり、各符号も図１および２に示す符号に対応するものである。
【００１７】
ゲージ２内に充填される破砕ゴム片１０は、廃タイヤを機械的な処理により破砕したものを好適に使用することができる。本発明の地盤補強方法では、ゲージ２に充填する破砕ゴム片１０の量を適宜変えることで、密詰めや緩詰めなど、所望の密度に調節することが可能となる。
【００１８】
図５は、本発明の地盤補強部材１を盛土Ａの一部として使用した状態を示す断面図である。破砕ゴム片１０を上記好適例のゲージ２に充填してできた補強部材１を、施工途中の盛土の上に水平に敷き詰め、その上から土を被せて、ゲージ２内に土を浸透させて締め固めてある。かかる盛土Ａを形成するにあたり、本発明の地盤補強部材１を使用することでその運搬性および作業性が向上し、また、補強性にも優れた効果を奏することとなる。
【００１９】
図中、補強部材１を敷き詰めて締め固めてできた層（補強部材層）は二層であるが、これに限定されるものではなく、例えば、盛土の高さが高ければ、それに応じて補強部材層を数層とすることも可能である。また、補強部材層と補強部材層との間隔は、盛土の強度を確保することができる程度に間隔をとることで、必要に応じて適宜選定することができる。
【実施例】
【００２０】
（実施例）
破砕ゴム片１０を図１に示すゲージ２に充填してゲージ２の上部５にネット３を被せ、図２に示すように上部ゲージ５と下部ゲージ４とを連結させて、破砕ゴム片１０が満杯に充填された補強部材１を作製した。これを水平状態に均した盛土の上に敷き詰めて、上から土を被せて締め固めた。次いで、その上に補強部材１を敷き詰めて上から土を被せて締め固めて盛土を完成させた。
【００２１】
このようにしてできた盛土を土のみで構成された盛土と比較したところ、この補強部材１を一部に使用した盛土の方が透水性において優れていることが確認できた。また、ゲージ２を使用せず、破砕ゴム片１０をそのまま使用して盛土を作製した場合に比べ、運搬性および作業性が大幅に向上することが確認された。
【図面の簡単な説明】
【００２２】
【図１】本発明の一実施の形態に係る円柱状をなす地盤補強部材の斜視図である。
【図２】図１に示す補強部材の係止状態の側面図である。
【図３】本発明の他の好適一実施の形態に係る方形をなす地盤補強部材の斜視図である。
【図４】図３に示す補強部材の係止状態の側面図である。
【図５】本発明に係る地盤補強部材を盛土の一部として使用した状態の断面図である。
【符号の説明】
【００２３】
１  補強部材
２  ゲージ
３  ネット
４  下部ゲージ
５  上部ゲージ
６  係止部
７  係止凸部
１０  破砕ゴム片  
Ａ  盛土
【図１】
2007169925.tif 000003
【図２】
2007169925.tif 000004
【図３】
2007169925.tif 000005
【図４】
2007169925.tif 000006
【図５】
2007169925.tif 000007